(57)【要約】【課題】  少ない労力で確実にケーブル引き込みを実施可能なケーブル引き込みシステム、そのアタッチメントおよびケーブルの引き込み方法を提供する。【解決手段】  地中埋設線保護管材にケーブルを引き込みするケーブル引き込みシステムは、ケーブルを吸引するためのホースＨを有する吸引装置１０１と、ホースＨと地中埋設線保護管材Ｔの一端とを接続するためのアタッチメント１０２と、地中埋設線保護管材の他端から挿入し、前記ケーブルを固定するための固定手段を備えた通線ヘッド１０３と、から構成される。アタッチメント１０２は、第１および第２の開口部１０２ａ，ｂを有する中空の耐圧性部材で構成され、第１の開口部１０２ａ側は、ホースＨ内に挿入してホースＨをアタッチメントに接続・固定し、そして第２の開口部１０２ｂ側は、地中埋設線保護管材Ｔ内に挿入してアタッチメントに地中埋設線保護管材１０２ｂを接続・固定する。【選択図】      図１Ｃ
2010088252.tif 000002
【特許請求の範囲】
【請求項１】
地中埋設線保護管材にケーブルを引き込みするケーブル引き込みシステムであって、
ケーブルを吸引するためのホースを有する吸引装置と、
前記吸引装置のホースと前記地中埋設線保護管材の一端とを接続するためのアタッチメントと、
前記地中埋設線保護管材の他端から挿入し、前記ケーブルを固定するための固定手段を備えた通線ヘッドと、
から構成され、
前記アタッチメントは、前記吸引装置による吸引に耐えられる第１および第２の開口部を有する中空の耐圧性部材で構成され、前記アタッチメントの第１の開口部側は、前記吸引装置のホース内に挿入して前記ホースを前記アタッチメントに接続・固定し、そして前記アタッチメントの第２の開口部側は、前記地中埋設線保護管材内に挿入して前記アタッチメントに前記地中埋設線保護管材を接続・固定する構成を有していることを特徴とするケーブル引き込みシステム。
【請求項２】
前記アタッチメントは、ケーブル引き込み作業をする際の地中埋設線保護管にケーブルを引き込む作業をするための地中箱の壁面に固定する固定手段を有していることを特徴とする請求項１に記載のケーブル引き込みシステム。
【請求項３】
前記アタッチメントおよび通線ヘッドは、前記地中埋設線保護管の管径に応じて用意するものである請求項１または請求項２に記載のケーブル引き込みシステム。
【請求項４】
請求項１から請求項３のいずれか１項に記載のケーブル引き込みシステムに使用するアタッチメント。
【請求項５】
請求項１から請求項３に記載のケーブル引き込みシステムを用いて、埋設した地下埋設保護管材にケーブルを引き込ませるケーブル引き込み方法であって、
前記吸引装置のホースと前記地中埋設保護管材の一方の端部に前記アタッチメントを装着する工程と、
前記通線ヘッドに引き込ませるケーブルを接続する工程と、
前記地下埋設保護管材の他端部から前記通線ヘッドを挿入する工程と、
前記吸引装置を駆動して前記地中埋設保護管材内を減圧することによって前記ケーブルをアタッチメントを介して吸引装置内部まで引っ張る工程と、
を含むことを特徴とするケーブル引き込み方法。
【発明の詳細な説明】
【技術分野】
【０００１】
本発明は、ケーブル引き込みシステム、そのアタッチメントおよびケーブル引き込みシステムを用いたケーブルの引き込み方法に関する。より詳しく述べると、吸引装置を用いて吸引することによって地中埋設線保護管材にケーブルを引き込みさせるケーブル引き込みシステムを用いたケーブルの引き込み方法に関する。
【背景技術】
【０００２】
従来、地中ケーブル布設工事においては、一般にケーブルを巻装したケーブル延線用ドラムを作業車上に搭載して発進側のハンドホール（作業坑）の上方側に配置すると共に到達側のハンドホールの上方側に牽引用ウインチを配置し、ケーブルの先端にメッセンジャーロープを結着し、ウインチを駆動してロープを巻取ることにより、ケーブルを地中埋設管内に牽引移送し、布設している。
【０００３】
このように、ケーブルを牽引して埋設管内へ布設するものであるため、ケーブルは管の内壁面に摺接しながら移送されることになる。そして、最近のケーブルは、径が太く（直径５〜１５ｃｍ程度）、かつ、質量もかなり重いため、このケーブルを管の内壁面に摺接しながら移送すると、牽引移送中にケーブルの保護被覆が埋設管Ｈの内壁面との接触摩擦等により摩耗したり損傷したりする恐れがある。
【０００４】
このようなケーブルを地中に埋設するに当たって、一般には図に示すような地中埋設管保護管材を使用している。このような管材は、可撓性の合成樹脂材料から作製されている。
【０００５】
このような地中線埋設保護管材を布設する場合、一般に次の手順により行う（非特許文献１参照）。
（１）  掘削工程
掘削の幅は、地中線埋設保護管材の布設条数によって決まるが、経済性を考えて、必要最小限でかつ土砂崩れのないよう安全を十分考慮した幅が必要となる。軟弱地盤については、掘削溝側面に矢板を設けるなどの措置をする。地中線埋設管を使用した地中電線路は電気設備技術基準上、管路式となり、埋設深さについては配電規程に依存して適宜選択される。需要場所で７ｋＶ以下のケーブルの場合はＪＩＳＣ  ３６５３により地表面（舗装下面）から０．３ｍ以上にすることができる。公道の場合は道路法施行令第１１条により、車両その他重量物の圧力を受ける恐れのある場合は０．８ｍ以上、その他の場合は０．６ｍ以上に
埋設する必要がある。掘削後の底部は土砂を平坦にならす。その後、砂巻きなどにより埋戻しを行う。
【０００６】
（２）布設
布設にあたっては、地中線埋設保護管材の口元部より、土、砂、水などが侵入しないように注意し、地中線埋設保護管材を布設溝に入れる。一般には３〜４人の作業員で把崩れが生じないように地中線埋設保護管材を手でおさえ布設溝に沿って転がして布設する。
【０００７】
（３）  配列・整列・穴埋め
多条布設を行う際には、地中線埋設保護管材相互の間隔を所定間隔に保持固定して配列するために、所定の間隔のゲージを用意し、約１．５ｍごとに使用してエフレックスを整直させる。そして同時に地中線埋設保護管材のまわりに砂またはこれに準ずる土で固定したのちゲージを抜き取る。
【０００８】
（４）  試験棒通し
埋設した地中線埋設保護管材の整直度おおび管内部の以上の有無を調査するために試験棒通しを実施する。
【０００９】
すなわち、パイロットワイヤをワイヤ取り付け穴に取り付け、別ロープ等をもう一方のワイヤ取り付け穴に取り付け、試験棒を管材内部に通過させることによって異常の有無を判定する。
【００１０】
（５）  埋め戻し
管路に試験棒を通して、管路に異常がないことを確認した後に埋め戻しおよび填圧を行う。
【００１１】
（６）  ケーブルの引き込み
【００１２】
次いで、所望とするケーブルを管路内に引き込む。この際に、従来技術では、ケーブルの引き込み張力および側圧を数式１に従って計算してウインチ駆動によりパイロットワイヤを巻きつけて引き込み作業を行っていた。
【００１３】
【数１】
2010088252.tif 000003
【００１４】
このため、管内は、摩擦係数を少なくするために多数の工夫がなされている。例えば、管内の摩擦係数を少なくするためのコーティング剤を塗布したり、作業に先立ってグリースなどを塗布したりする。
【００１５】
また、このように、地中埋設管内に布設されている電線や光ファイバーケーブル等は、所定年数経過すると、定期的に新しいものと交換する規定となっている。そのため、所定年数経過したケーブルは、これを撤去して新しいケーブルと交換している。
【００１６】
【非特許文献１】http://www.wirestation-mall.jp/shop/images/products/pdf/denzai/7_1_1.pdf  （平成20年7月24日検索）
【発明の開示】
【発明が解決しようとする課題】
【００１７】
しかしながら、従来のケーブル布設には、以下のような欠点がある。
（１）  管内の異常の有無を調査するための試験棒通し作業は、図７に示す通りもっぱら手作業であり、作業員の多大な労力を必要とする。
（２）  ウインチなどでワイヤを巻き取るにはかなりの時間を要し、また場合によっては思わぬ張力が加わりケーブルが破断することがある。
【００１８】
そのため、少ない労力で確実にケーブル引き込みを実施可能なケーブル引き込みシステム、そのアタッチメントおよびケーブル引き込みシステムを用いたケーブルの引き込み方法を提供することである。
【課題を解決するための手段】
【００１９】
上記課題を解決する本発明は、地中埋設線保護管材にケーブルを引き込みするケーブル引き込みシステムであって、ケーブルを吸引するためのホースを有する吸引装置と、
前記吸引装置のホースと前記地中埋設線保護管材の一端とを接続するためのアタッチメントと、前記地中埋設線保護管材の他端から挿入し、前記ケーブルを固定するための固定手段を備えた通線ヘッドと、から構成されたケーブル引き込みシステムに関する。
そして、本発明のアタッチメントは、前記吸引装置による吸引に耐えられる第１および第２の開口部を有する中空の耐圧性部材で構成され、前記アタッチメントの第１の開口部側は、前記吸引装置のホース内に挿入して前記ホースを前記アタッチメントに接続・固定し、そして前記アタッチメントの第２の開口部側は、前記地中埋設線保護管材内に挿入して前記アタッチメントに前記地中埋設線保護管材を接続・固定する。
【００２０】
前記アタッチメントは、ケーブル引き込み作業をする際の地中埋設線保護管にケーブルを引き込む作業をするための地中箱の壁面に固定する固定手段を有していることが好ましい。このような固定手段は、地中箱の壁面にボルトなどで固定することも考えられるが、第１の開口部と第２の開口部との間に地中箱の壁面に沿った形状で設けられる鍔状の部材から構成することがケーブル引き込み作業を容易に行う点から好ましい。
【００２１】
前記アタッチメントおよび通線ヘッドは、前記地中埋設線保護管の管径に応じて用意することが好ましい。
【００２２】
更に、上記課題を解決するための本発明は、本発明のケーブル引き込みシステムに使用するアタッチメントに関する。
【００２３】
更にまた、上記課題を解決するための本発明は、本発明のケーブル引き込みシステムを用いて、埋設した地下埋設保護管材にケーブルを引き込みさせるケーブル引き込み方法であって、前記吸引装置のホースと前記地下埋設保護管材の一方の端部に前記アタッチメントを装着する工程と、前記通線ヘッドに引き込みさせるケーブルを接続する工程と、前記地下埋設保護管材の他端部から前記試験部を挿入する工程と、前記吸引装置を駆動して前記地下埋設保護管材内を減圧することによって前記ケーブルをアタッチメントを介して吸引装置内部まで引っ張る工程と、を含むことを特徴とするケーブル引き込み方法に関する。
【発明の効果】
【００２４】
本発明によると、吸引装置の吸引により接続試験やケーブルの引き込みを容易かつ迅速に首尾一貫してできる。
【発明を実施するための最良の形態】
【００２５】
以下、本発明の実施の形態を添付図面に基づいて説明する。
図１は、本発明のケーブル引き込みシステムを用いたケーブルの引き込み作業を示す図面であり、図１Ａはアタッチメントを吸引装置のホースと地中埋設保護管とに接続した状態を示し、図１Ｂは通線するケーブルを通線ヘッドに接続してケーブルの引き込み準備が完了した状態を示し、そして図１Ｃは本発明のケーブル引き込みシステムを用いた地中埋設保護管材にケーブルを引き込んでいる状態を示す。図２は、本発明のケーブル引き込みシステムにおけるアタッチメントを示す概略図である。図３（ａ）は本発明で用いる地下埋設保護管材の構成を示す図面であり、図３（ｂ）は通線ヘッドの構成の一例を示す図面であり、そして図３（ｃ）は通線ヘッドの構成の別の一例を示す図面である。
【００２６】
図４は、本発明のケーブル引き込みシステムの動作を示すフローチャートであり、そして図５は、本発明のケーブル引き込みシステムを用いたケーブル引き込み工事の一連の流れを示すフローチャートである。
【００２７】
図１に示す通り、本発明のケーブル引き込みシステムは、ホースＨを有する吸引装置１０１と、一端側にはホースＨとそして他端側には地中埋設線保護管材（以下、端に保護管という）Ｔと接続するための中空状のアタッチメント１０２と、通線ヘッド１０３（図１Ｂ、図１Ｃ参照）とから主として構成されている。
【００２８】
本発明のケーブル引き込みシステムは、車両上に搭載された延線ドラムに捲回されたケーブルを図１Ａから図１Ｃに示す通り挿入側の地中箱側から吸引側の地中箱側へと保護管Ｔ内を通線させるのが一般的である。
【００２９】
なお、図１Ａから図１Ｃに示す通り、ケーブルを保護管Ｔに通線して引き込む場合には、マンホールやハンドホール等の地中箱内で操作する。本明細書においては、吸引装置１０１側の地中箱を吸引側地中箱と呼び、ケーブルドラム側の地中箱を挿入側の地中箱と呼ぶことにする。
【００３０】
図２に示す通り、本発明のケーブル引き込みシステムにおけるアタッチメント１０２は、吸引に耐えられる中空の耐圧性部材、例えばアルミニウムなどの金属製であり、第１の開口部１０２ａと第２の開口部１０２ｂを有している。アタッチメント１０２の第１の開口部１０２ａ側は、吸引装置１０１のホースＨ内に挿入して、ホースＨをアタッチメント１０２に接続・固定し、そしてアタッチメント１０２の第２の開口部１０２ｂ側は、保護管材Ｈ内に挿入して保護管材Ｈをアタッチメント１０２に接続・固定する。図２に示す通り、アタッチメント１０２と保護管材Ｔとは、アタッチメント１０２の開口部１０２ｂ側を地中箱の壁面の穴に挿入して保護管材Ｔ内部に挿入して接続するのが一般的である。
【００３１】
所望に応じて設けられた地中箱の保護管Ｔ側の壁面に沿って配置するための鍔状の固定手段を１０２ｃアタッチメント１０２の外周に設けることが好ましい。この固定手段１０２ｃは、地中箱の側壁にボルト締めする構成にすることも考えられるが、ボルトの締結や締結解除などの操作が必要であり、作業が煩雑となるので、図２に示すように単に鍔状の固定手段とすることが好ましい。
【００３２】
保護管Ｔは、従来公知の地中埋設線保護管剤であれば特に限定されず、例えば可撓性の合成樹脂製の管状物であり、内部にリード線Ｌを有しているものが挙げられる。この場合、保護管Ｔは、目的用途に応じて種々の形状（外径、内径、ピッチ）のものを選択して、従来技術の項目に記載の通り、ケーブルを引き込んだ状態で地中に埋設される。
【００３３】
吸引装置１０１は、保護管Ｔ内にとどまった土砂を吸引除去できるだけの吸引力を有する吸引装置であれば特に限定されるものではなく幅広く適用可能である。布設現場を容易に移動可能である点を考慮すると、車載された吸引装置、すなわち吸土車に搭載された吸引装置が好ましい。また、吸引条件として、例えば風量：２０〜４０ｍ3 ／ｍｉｎ、圧力：−１３〜−９７ｋＰａの範囲内である。
【００３４】
通線ヘッド１０３は、図２（ｂ）または図２（ｃ）に示す通り保護管Ｔの形状に応じて用意された通線ヘッド１０３であり、一般には木製、ゴム製、プラスチック製等の本体１０３ａと、本体前後に設けられた取り付け部１０３ｂ、１０３ｃとから主として構成されている。
【００３５】
取り付け部１０３ｂおおび１０３ｃは、図２（ｂ）に示す通り、通線ヘッド本体１０３ａの外側にフック状に設けられていてもあるいは図２（ｃ）に示す通り、通線ヘッド本体１０３ａの内部に設けられた穴から構成されていてもよい。通線ヘッド１０３の断面形状は適用する保護管Ｔの内径に応じた直径を有する円形であることが好ましい。
【００３６】
このようにして構成された通線ヘッド１０３の一端に引き込みを行うケーブルを固定する。
【００３７】
そして、アタッチメント１０２を吸引装置１０１のホースＨと保護管Ｔの一端に接続した後に、吸引装置１０１により所定の吸引力で吸引することによって、本発明では、従来技術のように人力により「試験棒通し」を実施して保護管Ｔ内部に異常があるか否かを判定せずに直接ケーブルの引き込みを実施することが可能である。
【００３８】
すなわち、何らかの影響で保護管Ｔ内に土砂などが混入した場合でも、通線ヘッド１０３を吸引しながら保護管Ｔ内を通過させることによって混入した土砂を保護管Ｔ内から吸引除去することが可能である。更に、本発明のケーブル引き込みシステムは、吸引装置１０１により吸引するので、挿入側の地中箱に溜まった水分も同時に吸引することが可能である。
【００３９】
また、万が一保護管Ｔ内に異常があり通線ができずそして本発明のケーブル引き込みシステムを用いてもその異常を解決できない場合には、吸引側のアタッチメントを取り外し、挿入側の地中箱の保護管にアタッチメント１０２を取り付けて吸引装置１０１により吸引することにより、途中で留まっていた通線ヘッドに取り付けられたケーブルを保護管Ｔから取り除くことができる。
【００４０】
従って、本発明のケーブル引き込みシステムは、吸引装置１０１による従来のケーブル工法とは全く異なるケーブル引き込みシステムであり、通線ヘッド１０３に接続されたケーブルを保護管Ｔの一端に配置して、他端側から吸引装置１０１により吸引することにより容易に保護管Ｔ内にケーブルを引き込むことが可能である。
【００４１】
しかも、本発明のケーブル引き込みシステムにおけるアタッチメント１０２は着脱が容易にできるので、ケーブル引き込み作業を連続して実施することが可能となる。
【００４２】
次に、本発明のケーブル引き込みシステムを用いたケーブルの引き込み方法を図４に基づいて説明する。図４に示す通り、本発明のケーブル引き込みシステムのアタッチメント１０２の第２の開口部１０２ｂを吸引側地中箱内で保護管Ｔに挿入し、そして第１の開口部１０２ａに吸引装置１０１のホースを挿入して、接続する（アタッチメントの装着：図１Ａ参照）。
【００４３】
次いで、通線ヘッド１０３の取り付け部１０３ｂ（または１０３ｃ）にケーブルを固定して、通線ヘッド１０３を挿入側の地中箱内で保護管Ｔの開口部に挿入する（通線ヘッド挿入工程：図１Ｂ参照）。
【００４４】
そして、図１Ｂに示すような状態で、吸引装置１０１を駆動させて、吸引側の地中箱側から吸引することによって（図１Ｃ）、通線ヘッド１０３に固定されたケーブルを保護管Ｔ内に引き込むことが可能となる。この際に、保護管Ｔ内に通線ヘッド１０３に固定されたケーブルを吸引するので、挿入側の地中箱に水分が溜まっていたり、保護管Ｔ内に土砂等が多少滞留したりする場合でも、吸引する際に水や土砂も同時に吸引される。
【００４５】
また、本発明者は、先に吸引装置を用いた掘削用のアタッチメントを実用新案登録出願した（実用新案登録第３１４３０７６号公報）。
【００４６】
このアタッチメントは、図６に示す通り、吸引装置の吸引用ホースに接続して土壌の掘削を行うための吸引掘削用のアタッチメントであって、先端側に複数の掘削用の刃から構成された掘削部を有し、そして後端側に前記吸引用ホースと接続する接続口を有する中空状のアタッチメント本体と、前記アタッチメントの長手軸垂直方向に設けられ、把持部と、前記把持部を前記アタッチメント本体の長手軸に沿って移動可能に固定する固定機構と、から構成されており、吸引装置による吸引しながら短手方向への回転運動、長手への力の付与だけで容易に掘削作業を行うことができる。しかも、人力により力を付与するので配管などの埋設物を破損せずに掘削作業を行うことが可能である。
【００４７】
本発明において、同じ吸引装置を用いて、アタッチメントを取り替えることにより、掘削からケーブルの引き込みまで一連の作業を行うことが可能である。
【００４８】
すなわち、図５に示す通り、試掘・掘削を図６に示すアタッチメントを吸引装置に接続して実施し、保護管埋設後、本発明のアタッチメントに交換してケーブルの引き込みを行うことができる。この際に異常がなければそのままケーブルの引き込みが完了する。
【００４９】
一方、接続テストで異常が発生した場合には、挿入側の保護管に本発明のアタッチメントを装着して、吸引装置により吸引することによって、図６に示すアタッチメントに再び差し替えて掘削、保護管埋設作業を行う。
【００５０】
このようにして、吸引装置を用いて容易にケーブルの引き込み作業を実施することが可能となる。
【図面の簡単な説明】
【００５１】
【図１Ａ】図１Ａはアタッチメントを吸引装置のホースと地中埋設保護管とに接続した状態を示す。
【図１Ｂ】通線するケーブルを通線ヘッドに接続してケーブルの引き込み準備が完了した状態を示す。
【図１Ｃ】本発明のケーブル引き込みシステムを用いた地中埋設保護管材にケーブルを引き込んでいる状態を示す。本発明のケーブル引き込みシステム全体を示す概略図である。
【図２】本発明のケーブル引き込みシステムのアタッチメントを示す図面である。
【図３】本発明で用いる地下埋設保護管材の構成を示す図面であり、（ｂ）は通線ヘッドの構成の一例を示す図面であり、そして（ｃ）は通線ヘッドの構成の別の一例を示す図面である。
【図４】本発明のケーブル引き込みシステムの動作を示すフローチャートである。
【図５】本発明のケーブル引き込みシステムを用いたケーブル引き込み工事の一連の流れを示すフローチャートである。
【図６】本発明のケーブル引き込みシステムに差し替えて使用可能な掘削用アタッチメントを示す図面である。
【符号の説明】
【００５２】
１  ケーブル引き込みアタッチメント
１０１  吸引装置
１０２  アタッチメント
１０３  通線ヘッド
Ｈ      ホース
Ｌ      リード線
Ｔ      保護管
【図１Ａ】
2010088252.tif 000004
【図１Ｂ】
2010088252.tif 000005
【図１Ｃ】
2010088252.tif 000006
【図２】
2010088252.tif 000007
【図３】
2010088252.tif 000008
【図４】
2010088252.tif 000009
【図５】
2010088252.tif 000010
【図６】
2010088252.tif 000011